(57)【特許請求の範囲】
【請求項１】
遊技球が流下可能な遊技領域が前側に設けられた遊技盤と、この遊技盤の後側に設けられた設置部材と、この設置部材の後側に配設され、表示部で各種図柄を可変表示可能な図柄表示装置とを備えた遊技機において、
前記設置部材は、前記遊技盤の後面に対向して延在する設置部が少なくとも透明または半透明に形成されると共に、該設置部を前後に貫通して表示開口が形成され、
前記図柄表示装置は、前記表示部が前記表示開口より大きく設定され、該表示部を表示開口に臨ませると共に該表示部の外縁部を該表示開口の開口縁に重ねて、前記設置部の後側に設置され、
前記設置部における前記表示開口の開口縁には、該表示開口の開口縁全周を囲う枠状で、かつ光を透過しない縁取り部材が前記図柄表示装置の前側に重なるように設けられ、
前記縁取り部材は、前記設置部における表示開口の開口縁に重なる重合部位と、この重合部位から表示開口の内側に延出し、その内周縁で前記表示部の表示領域を画成する延出部位とを有し、該重合部位の外縁部が前記図柄表示装置の外縁部より内側に配置される
ことを特徴とする遊技機。
【請求項２】
前記表示開口の形状に合わせた枠状の平板からなる前記縁取り部材は、前記重合部位と前記延出部位とが前後方向に段をなす階段状に形成され、
前記縁取り部材は、前記重合部位と前記延出部位との段部を前記表示開口の内側に嵌め合わせて取り付けられ、該延出部位の後面と前記設置部の後面とが揃うように設置される請求項１記載の遊技機。
【請求項３】
前記設置部における前記表示開口の開口縁に設けられ、前方に突出する取付ボスと、
前記縁取り部材の重合部位に、前記取付ボスに対応して貫通形成された取付孔と、
前記設置部の前側に配設され、前記取付孔を介して前記縁取り部材の前側に臨む前記取付ボスに取り付けられる発光装飾体とを備え、
前記縁取り部材は、前記発光装飾体と前記設置部とに挟まれて取り付けられる請求項１または２記載の遊技機。
【請求項４】
前記縁取り部材の前側に設けられる前記発光装飾体は、発光体により発光演出される光を透過可能なカバーを備える請求項３記載の遊技機。
【発明の詳細な説明】
【技術分野】
【０００１】
この発明は、遊技盤の後側に設けられた設置部材の後側に図柄表示装置を配設し、該図柄表示装置の表示部を、設置部材の表示開口を介して前側から視認し得るよう構成した遊技機に関するものである。
【背景技術】
【０００２】
代表的な遊技機であるパチンコ機は、パチンコ球(遊技球)が流下可能な遊技領域が前側に設けられた遊技盤と、この遊技盤の後側に配設され、各種機器の設置基盤となる設置部材とを備えている(例えば、特許文献１参照)。また、パチンコ機では、設置部材の後側に液晶式等の図柄表示装置が配設され、設置部材に開設された表示開口、遊技盤に開設された貫通口および遊技領域の略中央位置に配設された枠状装飾体の窓口を介して図柄表示装置の表示部が前側に臨むようになっている。そして、遊技盤の盤面(遊技領域)に打出されたパチンコ球が、枠状装飾体の下方位置に配設した始動入賞装置に入賞することにより、図柄表示装置の表示部で図柄変動が行われるようになっている。
【先行技術文献】
【特許文献】
【０００３】
【特許文献１】特開２００６−６８１６４号公報
【発明の概要】
【発明が解決しようとする課題】
【０００４】
近年、不正防止対策の一環として、内部に配設された機器を確認できるように、設置部材を透明にすることが行われている。ここで、図柄表示装置は、表示部が設置部材に設けられた表示開口より大きく設定されているので、設置部材における表示開口の開口縁が表示部の前側に重なり、透明な設置部材を介して表示部の外縁部が視認されることがある。このため、パチンコ機では、図柄表示装置の表示部で行われる表示演出が、表示開口に露出する内側領域と比べて設置部材に重なった外側領域でぼやけてしまうという問題が指摘される。
【０００５】
すなわち本発明は、従来の技術に係る遊技機に内在する前記問題に鑑み、図柄表示装置の表示領域の外縁をはっきりとすることができる遊技機を提供することを目的とする。
【０００６】
前記課題を克服し、所期の目的を達成するため、本願の請求項１に係る発明の遊技機は、
遊技球が流下可能な遊技領域(20a)が前側に設けられた遊技盤(20)と、この遊技盤(20)の後側に設けられた設置部材(30)と、この設置部材(30)の後側に配設され、表示部(52a)で各種図柄を可変表示可能な図柄表示装置(50)とを備えた遊技機において、
前記設置部材(30)は、前記遊技盤(20)の後面に対向して延在する設置部(32)が少なくとも透明または半透明に形成されると共に、該設置部(32)を前後に貫通して表示開口(32a)が形成され、
前記図柄表示装置(50)は、前記表示部(52a)が前記表示開口(32a)より大きく設定され、該表示部(52a)を表示開口(32a)に臨ませると共に該表示部(52a)の外縁部を該表示開口(32a)の開口縁に重ねて、前記設置部(32)の後側に設置され、
前記設置部(32)における前記表示開口(32a)の開口縁には、該表示開口(32a)の開口縁全周を囲う枠状で、かつ光を透過しない縁取り部材(34)が前記図柄表示装置(50)の前側に重なるように設けられ、
前記縁取り部材(34)は、前記設置部(32)における表示開口(32a)の開口縁に重なる重合部位(34a)と、この重合部位(34a)から表示開口(32a)の内側に延出し、その内周縁で前記表示部(52a)の表示領域を画成する延出部位(34b)とを有し、該重合部位(32a)の外縁部が前記図柄表示装置(50)の外縁部より内側に配置されることを特徴とする。
請求項１に係る発明によれば、設置部材における表示開口の開口縁を囲んで光を透過しない縁取り部材が設けられているので、設置部材を透明または半透明にしても設置部材を介して図柄表示装置の表示部の外縁部が前側から視認されることがない。すなわち、図柄表示装置の表示部で行われる表示演出の外縁部がぼやけることがなく、表示領域の外縁がはっきりとし、全体として明りょうにできる。また、縁取り部材によって、設置部材における表示開口の開口縁を補強することができる。
【０００７】
請求項２に係る発明では、前記表示開口(32a)の形状に合わせた枠状の平板からなる前記縁取り部材(34)は、前記重合部位(34a)と前記延出部位(34b)とが前後方向に段をなす階段状に形成され、
前記縁取り部材(34)は、前記重合部位(34a)と前記延出部位(34b)との段部(34c)を前記表示開口(32a)の内側に嵌め合わせて取り付けられ、該延出部位(34b)の後面と前記設置部(32)の後面とが揃うように設置されることを要旨とする。
請求項２に係る発明によれば、縁取り部材の段部が表示開口に嵌り込むので、縁取り部材を設置部材に対して位置決めし易い。
【０００８】
請求項３に係る発明では、前記設置部(32)における前記表示開口(32a)の開口縁に設けられ、前方に突出する取付ボス(32b)と、
前記縁取り部材(34)の重合部位(34a)に、前記取付ボス(32b)に対応して貫通形成された取付孔(34d)と、
前記設置部(32)の前側に配設され、前記取付孔(34d)を介して前記縁取り部材(34)の前側に臨む前記取付ボス(32b)に取り付けられる発光装飾体(35A,35B,35C,35D)とを備え、
前記縁取り部材(34)は、前記発光装飾体(35A,35B,35C,35D)と前記設置部(32)とに挟まれて取り付けられることを要旨とする。
請求項３に係る発明によれば、発光装飾体によって縁取り部材を挟んで設置部材に取り付けているので、縁取り部材の確実な固定が図られる。
【０００９】
請求項４に係る発明では、前記縁取り部材(34)の前側に設けられる前記発光装飾体(35A,35B,35C,35D)は、発光体(36a)により発光演出される光を透過可能なカバー(37)を備えることを要旨とする。
請求項４に係る発明によれば、図柄表示装置の表示部の前側に設けられる発光装飾体と、表示部の間における互いの光による写り込みを、縁取り部材によって防止することができる。
【発明の効果】
【００１０】
本発明に係る遊技機によれば、図柄表示装置の表示領域の外縁をはっきりとすることができる。
【図面の簡単な説明】
【００１１】
【図１】本発明の好適な実施例に係るパチンコ機を示す正面図である。
【図２】実施例の遊技盤を示す正面図である。
【図３】実施例の遊技盤を示す背面図である。
【図４】実施例の設置部材をおよび図柄表示装置を前側から示す分解斜視図である。
【図５】実施例の設置部材の正面図であって、発光装飾体および可動演出装置が設置された状態を示す。
【図６】図３のＡ−Ａ線断面図である。
【図７】図３のＢ−Ｂ線の位置における設置部材の断面図である。
【図８】実施例の設置部材の正面図であって、発光装飾体および可動演出装置を取り外した状態を示す。
【図９】実施例の設置部材の背面図である。
【図１０】図９のＣ−Ｃ線断面図である。
【図１１】図９のＤ−Ｄ線断面図である。
【図１２】図９のＥ部拡大図である。
【図１３】図１２のＦ−Ｆ線断面図である。
【発明を実施するための形態】
【００１２】
次に、本発明に係る遊技機につき、好適な実施例を挙げて、添付図面を参照しながら以下詳細に説明する。なお、実施例では、遊技球としてパチンコ球を用いて遊技を行うパチンコ機を例に挙げて説明する。また、以下の説明において、「前」、「後」、「左」、「右」とは、特に断りのない限り、図１に示すようにパチンコ機を前側(遊技者側)から見た状態で指称する。
【実施例】
【００１３】
(パチンコ機)
図１に示すように、実施例に係るパチンコ機１０は、矩形枠状に形成されて遊技店の図示しない設置枠台に固定される固定枠としての外枠１１の開口前面側に、後述する遊技盤２０(図２参照)が着脱可能に保持された本体枠としての中枠１２が開閉および着脱可能に組付けられている。また、遊技盤２０の後側には、各種図柄を可変表示可能な図柄表示装置５０(図３または図４参照)が着脱し得るように配設されている。中枠１２の前面側には、遊技盤２０を透視保護するガラス板を備えた装飾枠としての前枠１４が開閉可能に組付けられると共に、前枠１４の下方にパチンコ球を貯留する下球受け皿１５が開閉可能に組付けられる。なお、実施例では、前枠１４の下部位置に下球受け皿１５の上側に位置して、パチンコ球を貯留する上球受け皿１６が一体的に組付けられており、前枠１４の開閉に合わせて上球受け皿１６も一体的に開閉するよう構成される。
【００１４】
(遊技盤)
前記中枠１２に配設される遊技盤２０は、図２に示すように、前面(盤面)にパチンコ球が流下可能な遊技領域２０ａが画成され、合板等の木製からなる平板状の板部材で構成される。遊技盤２０の前面には、円弧状に形成した案内レール２１が配設されると共に、該案内レール２１の右方位置に、左端縁が右方に凹む円弧状に形成した盤面飾り部材２２が配設される。そして、案内レール２１および盤面飾り部材２２により遊技領域２０ａが略円形状に画成され、中枠１２に配設された図示しない打球発射装置から発射されたパチンコ球が遊技領域２０ａ内に打ち出され、該遊技領域２０ａ内をパチンコ球が流下して遊技が行われる。なお、打球発射装置から発射されたパチンコ球は、遊技盤２０の下側から左側に案内レール２１で案内されて、遊技領域２０ａの左上部に打ち出される。また、遊技盤２０の遊技領域２０ａ内には、多数の遊技釘が植設されており、該遊技釘との接触により遊技領域２０ａを流下するパチンコ球の流下方向が不規則に変化するよう構成してある。
【００１５】
前記遊技盤２０には、図１または図２に示すように、後述する枠状装飾体２８の下縁より下方位置に、前記遊技領域２０ａを流下するパチンコ球が入賞可能な始動入賞装置２４および特別入賞装置２５やパチンコ球が通過可能なゲート２６等が配設される。なお、図２の符号２７は、遊技盤２０に配設されて、常に入賞口を開放している普通入賞装置を示す。
【００１６】
(枠状装飾体)
前記遊技盤２０の中央には、前後に貫通する大型の貫通口２０ｂ(図６参照)が形成されており、該貫通口２０ｂに対して前後に開口する窓口２８ａを有する枠状装飾体(所謂センター役物)２８が嵌め込まれるように着脱可能に配設される(図１または図２参照)。また、枠状装飾体２８には、図２に示す如く、上縁部から左右両縁部に亘り、遊技盤２０の前面より前方に突出する円弧状の庇状部２８ｂが設けられており、遊技領域２０ａに打ち出されたパチンコ球を外周部の庇状部２８ｂで案内し得ると共に、該パチンコ球が枠状装飾体２８の窓口２８ａを横切って流下するのを該庇状部２８ｂで規制している。そして、後述する設置部材３０の表示開口３２ａに取り付けられた後述する縁取り部材３４で囲われる領域から臨む図柄表示装置５０の表示部５２ａは、枠状装飾体２８における前後に開口する窓口２８ａを介して遊技盤２０の前側に露出して、該図柄表示装置５０の表示部５２ａで展開される図柄変動を前側から視認し得るようになっている(図１または図２参照)。また、枠状装飾体２８には、窓口２８ａの下側にステージ２９が配設され、遊技領域２０ａからステージ２９に通出されたパチンコ球が、ステージ２９上を左右に転動した後に、前記各入賞装置２４,２５,２７が配設されている遊技領域２０ａに排出される。
【００１７】
(設置部材)
図４〜図１０に示すように、前記遊技盤２０の後面には、図柄表示装置５０が着脱可能に配設されると共に、可動演出装置７０(図２参照)や複数の発光基板等の遊技部品が配設される合成樹脂材で形成された設置部材３０が配設されている。設置部材３０は、図４または図８に示すように、遊技盤２０の後面に対向して該遊技盤２０の後側に延在する設置板部(設置部)３２と、この設置板部３２の外周縁に前方に突出するように形成された画壁部３３とを備え、設置板部３２および画壁部３３により前方に開口する矩形箱状に形成されている(図７または図１０参照)。設置部材３０は、少なくとも設置板部３２が透明または半透明に形成されて、後側から設置板部３２および画壁部３３を透かして該設置板部３２の前側に取り付けられた部材や装置が視認可能に構成される。ここで、実施例の設置部材３０は、全体が透明な合成樹脂で形成されている。設置板部３２には、前後に貫通する大型の表示開口３２ａが設けられている。表示開口３２ａは、略矩形状に形成されている。設置部材３０は、画壁部３３の開放端に形成された取付部３３ａを遊技盤２０の後面に突き当ててネジ止め固定される。そして、設置部材３０は、遊技盤２０に取り付けた際に、該遊技盤２０に形成された貫通口２０ｂの後側に表示開口３２ａが重なると共に、設置板部３２と遊技盤２０との間に可動演出装置７０等を設置可能な所要の空間が画成される。
【００１８】
前記設置部材３０には、表示開口３２ａの上下左右の夫々に、前方に臨む表示部５２ａの表示領域の周囲を発光演出する発光装飾体３５Ａ,３５Ｂ,３５Ｃ,３５Ｄが、設置板部３２の前側に設けられている(図４または図５参照)。発光装飾体３５Ａ,３５Ｂ,３５Ｃ,３５Ｄは、光を照射可能な装飾発光体(発光体)３６ａを設置した装飾発光基板３６と、装飾発光体３６ａにより発光演出され、縁取り部材３４の前側を覆う光を透過可能な装飾体カバー(カバー)３７とを備えている(図５参照)。表示開口３２ａの右側に設けられた右部発光装飾体３５Ａおよび表示開口３２ａの左側に設けられた左部発光装飾体３５Ｂは、設置板部３２の側部に立てた姿勢で設置された装飾発光基板３６の表示部５２ａ側の面に、内方に向けて光を照射する装飾発光体３６ａが設けられ、装飾発光基板３６の内方に設けられた装飾体カバー３７が装飾発光体３６ａにより発光演出される。一方、表示開口３２ａの上側に設けられた装飾発光体３５Ｃおよび表示開口３２ａの下側に設けられた装飾発光体３５Ｄは、設置板部３２に板面を沿わせた姿勢で設置された装飾発光基板３６の前面に、前方に向けて光を照射する装飾発光体３６ａが設けられ、装飾発光基板３６の前方に設けられた装飾体カバー３７が装飾発光体３６ａにより発光演出される。ここで、下部発光装飾体３５Ｄは、遊技盤２０に設けられた枠状装飾体２８のステージ２９の後側に位置し、光を透過可能(実施例では透明)に形成されたステージ２９を装飾体カバー３７を介して発光演出し得るようになっている。
【００１９】
(縁取り部材)
図６、図８または図９に示すように、設置板部３２における表示開口３２ａの開口縁には、該表示開口３２ａの開口縁全周を囲う枠状で、かつ光を透過しない縁取り部材３４が設けられている。縁取り部材３４は、略矩形状の表示開口３２ａに合わせて略矩形状のリング形状の平板部材であって(図８または図９参照)、実施例では光を反射し難い黒色の合成樹脂で構成されている。縁取り部材３４は、設置板部３２における表示開口３２ａの開口縁に重なる重合部位３４ａと、この重合部位３４ａから表示開口３２ａの内側に延出する延出部位３４ｂとが前後方向に段をなす階段状に形成されている(図６または図８参照)。また、縁取り部材３４は、延出部位３４ｂの内周縁が、表示開口３２ａの開口形状に略相似すると共に該表示開口３２ａより小さい開口部を画成するようになっている。縁取り部材３４は、平板形状の重合部位３４ａに対して平板形状の延出部位３４ｂが設置板部３２の略厚み分だけ後側にずれて延在し、重合部位３４ａの前面と延出部位３４ｂの前面とが段違いになると共に、重合部位３４ａの後面と延出部位３４ｂの後面とが段違いになっている。そして、縁取り部材３４における延出部位３４ｂの外周縁には、重合部位３４ａの後面との間に段部３４ｃが設けられる。段部３４ｃは、表示開口３２ａの略矩形の開口形状に整合するように、略矩形状に延在するよう形成されている。
【００２０】
実施例の縁取り部材３４は、重合部位３４ａの表示開口３２ａに対する内外方向の寸法が、延出部位３４ｂの表示開口３２ａに対する内外方向の寸法より大きくなるように形成されている(図８参照)。また、重合部位３４ａおよび延出部位３４ｂは、表示開口３２ａの左側縁に延在する部分に比べて右側縁に延在する部分の該表示開口３２ａに対する内外方向の寸法が大きくなるように形成されている。なお、縁取り部材３４における延出部位３４ｂの内周縁は、外方から内方に向かうにつれて後方へ傾斜するテーパ形状になっている(図１１参照)。
【００２１】
前記縁取り部材３４は、重合部位３４ａと延出部位３４ｂとの段部３４ｃを表示開口３２ａの内側に嵌め合わせて、設置板部３２の前面に取り付けられる。より具体的には、設置板部３２の前面には、表示開口３２ａにおける上側および下側の辺に前方に突出する取付ボス３２ｂが設けられており(図８参照)、実施例では上側および下側の辺の夫々において取付ボス３２ｂが左右方向に離間して複数(２箇所)設けられている。なお、表示開口３２ａの上側の取付ボス３２ｂには、上部発光装飾体３５Ｃが取り付けられ、表示開口３２ａの下側の取付ボス３２ｂには、下部発光装飾体３５Ｄが取り付けられる(図１１参照)。縁取り部材３４には、重合部位３４ａの上辺および下辺に取付ボス３２ｂに対応して取付孔３４ｄが貫通形成されており、この取付孔３４ｄに取付ボス３２ｂを挿入すると共に、段部３４ｃを表示開口３２ａの内側に嵌め合わせることで、重合部位３４ａが設置板部３２における表示開口３２ａの開口縁４辺に重なり、延出部位３４ｂが表示開口３２ａの外周縁を塞いだ状態で設置される。また、縁取り部材３４は、設置板部３２の後面と延出部位３４ｂの後面とが揃い、図柄表示装置５０の表示部５２ａに干渉しないようになっている。このように、縁取り部材３４の段部３４ｃが表示開口３２ａに嵌り込むので、縁取り部材３４を設置部材３０に対して位置決めし易く、取り付け作業が楽である。そして、遊技盤２０では、縁取り部材３４における延出部位３４ｂの内周縁で図柄表示装置５０における表示部５２ａの表示領域が画成されるようになっている。
【００２２】
前記縁取り部材３４は、発光装飾体３５Ａ,３５Ｂ,３５Ｃ,３５Ｄと設置板部３２とに挟まれて取り付けられている。縁取り部材３４は、右側辺および左側辺の重合部位３４ａが、設置板部３２の後方から右部発光装飾体３５Ａまたは左部発光装飾体３５Ｂの装飾体カバー３７に対してネジＮを螺挿することで、ネジ止めされると共に該装飾体カバー３７と設置板部３２との間に挟まれて固定される。縁取り部材３４は、上辺の重合部位３４ａが、設置板部３２の後方から上部発光装飾体３５Ｃにおける装飾発光基板３６および装飾体カバー３７を固定支持する透明な支持ベース３８(図４または図１１参照)に対してネジＮを螺挿することで、ネジ止めされると共に該支持ベース３８と設置板部３２との間に挟まれて固定される。縁取り部材３４は、下辺の重合部位３４ａが、設置板部３２の後方から下部発光装飾体３５Ｄの装飾発光基板３６および装飾体カバー３７に対してネジＮを螺挿することで、ネジ止めされると共に該装飾体カバー３７と設置板部３２との間に挟まれて固定される(図１１参照)。すなわち、縁取り部材３４は、前側に位置する発光装飾体３５Ａ,３５Ｂ,３５Ｃ,３５Ｄにおける構成部材の設置板部３２への固定と併せて該設置板部３２に固定されるようになっている。そして、発光装飾体３５Ａ,３５Ｂ,３５Ｃ,３５Ｄによって縁取り部材３４を挟んで設置板部３２に取り付けることで、縁取り部材３４の確実な固定が図られている。
【００２３】
前記設置部材３０では、表示開口３２ａにおける左右の側辺に位置する発光装飾体３５Ａ,３５Ｂの装飾体カバー３７の内縁より縁取り部材３４における延出部位３４ｂの対応する内縁が内側に僅かに突出するよう構成されている(図５参照)。同様に、縁取り部材３４は、上部装飾体３５Ｃの装飾体カバー３７および支持ベース３８の内縁よりも、上辺の延出部位３４ｂの内縁が内側に突出するようになっている。これに対して、縁取り部材３４は、下辺の延出部位３４ｂの内縁が下部発光装飾体３５Ｄおよび該下部発光装飾体３５Ｄの右側に設置された可動演出装置７０によって覆われている。そして、左右の装飾発光体３５Ａ,３５Ｂおよび上部発光装飾体３５Ｃの装飾体カバー３７は、内縁後端が重合部位３４ａより後方へ一段奥まった延出部位３４ｂの前面に突き合わせてある。
【００２４】
(図柄表示装置)
前記図柄表示装置５０は、矩形状の液晶パネル５２と、この液晶パネルを保護する保護カバー体５４とから基本的に構成されている(図４参照)。保護カバー体５４は、液晶パネル５２を収容可能な矩形箱状に形成されており、該保護カバー体５４の前面に設けられたカバー開口５４ａに液晶パネル５２の表示部５２ａが臨むようになっている。図柄表示装置５０は、表示部５２ａ(カバー開口５４ａ)が設置板部３２の表示開口３２ａより大きく設定され、該表示部５２ａの内側領域を表示開口３２ａに臨ませるとと共に該表示部５２ａの外縁部を該表示開口３２ａの開口縁に重ねた状態で、設置板部３２の後側に設置されている(図８の点線参照)。また、縁取り部材３４は、図柄表示装置５０におけるカバー開口５４ａの開口縁より延出部位３４ｂの内周縁が内側に位置している。すなわち、遊技盤２０では、透明な設置板部３２の後側に重なる図柄表示装置５０の表示部５２ａの外縁部が縁取り部材３４の重合部位３４ａの後側に位置し(図６参照)、該表示部５２ａにおいて縁取り部材３４の延出部位３４ｂの内周縁で囲われる部分が枠状装飾体２８の窓口２８ａを介して前側に臨むようになっている(図２参照)。
【００２５】
前記設置部材３０には、設置板部３２における表示開口３２ａの開口縁を囲んで光を透過しない縁取り部材３４が設けられているので、設置板部３２を光を透過するようにしても、設置板部３２を介して図柄表示装置５０の表示部５２ａの外縁部が前側から視認されることがない。すなわち、図柄表示装置５０の表示部５２ａで行われる表示演出の外縁部がぼやけることがなく、表示領域の外縁がはっきりとし、全体として明りょうにできる。従って、不正防止対策の一環として、設置部材３０の内部に配設された機器を確認できるように設置板部３２を透明としても、遊技演出を損なうことなく、不正防止対策と図柄表示装置５０による好適な遊技演出とを両立し得る。また、縁取り部材３４によって、設置部材３０における表示開口３２ａの開口縁を補強することができる。すなわち、図柄表示装置５０の大型化に伴って表示開口３２ａが大きく設定されるが、該表示開口３２ａの開口縁に設けられた縁取り部材３４によって、設置部材３０の強度不足を補うことができる。
【００２６】
前記遊技盤２０には、設置板部３２における表示開口３２ａの周辺部前面に設けられる発光装飾体３５Ａ,３５Ｂ,３５Ｃ,３５Ｄと、表示開口３２ａの周辺部後面に重なる図柄表示装置５０の表示部５２ａの外縁部との間に、光を通さない縁取り部材３４が設置されているので、表示部５２ａでの表示演出による光が発光装飾体３５Ａ,３５Ｂ,３５Ｃ,３５Ｄの装飾体カバー３７に入射することを防止できる。反対に、装飾発光体３６ａから照射された光が、透明な設置板部３２を介して図柄表示装置５０の表示部５２ａに入射するのを縁取り部材３４で阻むことができる。すなわち、パチンコ機１０では、図柄表示装置５０の表示部５２ａの前側に設けられる発光装飾体３５Ａ,３５Ｂ,３５Ｃ,３５Ｄと表示部５２ａとの間における互いの光による写り込みを、縁取り部材３４によって防止することができる。特に、右部および左部発光装飾体３５Ａ,３５Ｂは、上部および下部発光装飾体３５Ｃ,３５Ｄのように、装飾体カバー３７の後側に装飾発光基板３６が延在していないので、縁取り部材３４を装飾体カバー３７と表示部５２ａとの間に配置することで、表示部５２ａおよび発光装飾体３５Ａ,３５Ｂの夫々の演出を区分することができる。
【００２７】
(図柄表示装置の取付構造)
前記図柄表示装置５０は、保護カバー体５４におけるカバー開口５４ａ(表示部５２ａ)を挟む右側(一方)の縁部に係止クリップ(係止部)５５が設けられ、左側(他方)の縁部に差込突部６２が設けられている(図４参照)。係止クリップ５５は、略角柱形の軸部５６の一端に設けられて、該軸部５６の軸線と交差する方向に延出するよう形成された係止突片(係止片)５７と、軸部５６の他端に設けられ、該係止クリップ５５を回転操作する際に把持する部分となる操作片５８と、この操作片５８の根元部分から軸線と交差する方向に延出する鍔部５９とから構成されている(図７または図１３参照)。係止突片５７は、軸部５６の周方向に回転させた際に、元の形状とずれる円や球以外の形状とされ、実施例では、略矩形ブロック状に形成されている(図４参照)。係止突片５７は、長手辺が軸部５６の周面から該軸部５６を挟んで対称に突出する一方、短手辺が軸部５６の周面と同一面上に延在している。また、係止突片５７の挿入端(先端)は、設置部材３０に設けられた後述する係止孔４２への挿入時に挿入案内面４４に相対する側面が該挿入案内面４４に倣って傾斜し、前方に向かうにつれて先細り形状になっている(図１３参照)。ここで、実施例の係止クリップ５５は、係止突片５７の挿入端の４面の夫々にテーパ面５７ａに形成されており、係止孔４２への挿入時に係止突片５７の姿勢を１８０°回転しても、該テーパ面５７ａによる干渉抑制作用が得られる。なお、実施例の係止突片５７および軸部５６は、該係止突片５７の長手に沿って分割された先割れ形状であって(図４または図１３参照)、先割れ部分が互いに近接する方向に弾性変形可能になっている。更に、係止突片５７は、上下左右の面がなす角隅部が前後方向に亘って面取りされている。
【００２８】
前記係止クリップ５５は、操作片５８が軸部５６の軸線と交差する方向に長手が延在する略矩形ブロック状に形成されている(図３参照)。ここで、係止クリップ５５は、係止突片５７の長手辺と操作片５８の長手辺が直交する関係で形成されており、操作片５８の姿勢によって設置部材３０の後方から係止クリップ５５がロック状態あるかまたはロック解除状態であるか判別できるようになっている。鍔部５９は、後面視円形に形成されており(図３参照)、軸部５６から該軸部５６の軸線と交差する外方向へ突出するにつれて操作片５８側から係止突片５７側に向けて傾斜するように設けられている(図１３参照)。また、鍔部５９は、軸部５６の軸線方向に弾性変形可能に構成されている。鍔部５９は、係止突片５７の長手辺より大径に形成されると共に、図柄表示装置５０の後述する保持部６０の保持孔６０ａよりも大径に形成されている。
【００２９】
前記図柄表示装置５０の保護カバー体５４には、右側縁の上部および下部の夫々に、係止クリップ５５を保持する保持部６０が設けられている(図３または図４参照)。各保持部６０は、保護カバー体５４の角隅部前面を凹設した部位に右側方に延出するように設けられ、保護カバー体５４の右側面において該保護カバー体５４の後面側に偏倚して配置されている。すなわち、各保持部６０は、保護カバー体５４の前面より後方へ奥まった位置に設けられている。各保持部６０は、係止突片５７の外形に合わせた長孔形状で前後に貫通形成された保持孔６０ａを有し、この保持孔６０ａに対して係止突片５７の形状を合わせることで、係止クリップ５５が挿脱可能になっている。ここで、保持孔６０ａは、左右方向に長手が延在するように形成されている(図４参照)。係止クリップ５５は、係止突片５７が図柄表示装置５０から前方に突出するように保持孔６０ａに対して後側から挿入され、操作片５８が後方に突出した状態で軸部５６が保持部６０に対して軸周りに回転可能に支持される。そして、係止クリップ５５は、保持孔６０ａに挿入したもとで係止突片５７を回転して該保持孔６０ａからずらせば、該保持孔６０ａの開口縁に係止突片５７が引っ掛かって保持部６０に保持される。
【００３０】
前記保持部６０には、外周縁後面に保持孔６０ａを中心とする略円弧状に延在する保持壁片６０ｂが、後方に突出するように設けられている(図３参照)。ここで、保持壁片６０ｂは、係止クリップ５５の鍔部５９の外形寸法に合わせて円弧形状が設定されている。また、保持部６０には、外周縁前面に保持孔６０ａを囲って延在する当接壁片６０ｃが、前方に突出するよう設けられると共に、開口壁片６０ｄが保持孔６０ａの開口縁全周に亘って前方に突出するように設けられている(図４参照)。係止クリップ５５は、保持部６０の保持孔６０ａに係止突片５７を挿通することで、軸部５６が保持孔６０ａおよび開口壁片６０ｄで回転可能に保持されると共に、鍔部５９が保持壁片６０ｂの内側に嵌り込んで上下左右の移動が規制される。
【００３１】
前記差込突部６２は、保護カバー体５４の左側縁に上下に離間して２つ設けられ、各差込突部６２が保護カバー体５４の左側縁から左側方へ延出するように形成されている(図４参照)。各差込突部６２は、矩形ブロック状に形成されている。保護カバー体５４には、カバー開口５４ａが左側に若干偏倚して形成されており、液晶パネル５２の周縁前側を覆う右側部が左側部より左右に広くなっている。ここで、保護カバー体５４の右側部前面には、複数(実施例では２箇所)の位置決め孔５４ｂ,５４ｂが上下に離間して開設されており(図４参照)、図柄表示装置５０を設置部材３０に取り付けた際に、表示開口３２ａの右側辺に後方へ対応的に突設された位置決めボス３２ｃ(図９参照)が夫々挿入されるようになっている。
【００３２】
前記設置部材３０は、表示開口３２ａの周辺部後面が平坦に形成されており、この平坦な取り付け領域３０ａ(図９参照)に対して図柄表示装置５０が保護カバー体５４の前面を突き当てて取り付けられる。設置部材３０には、設置板部３２後面における表示開口３２ａの右側方に、係止クリップ５５を係脱可能な係止孔４２を備えた係止受部４０が設けられると共に、設置板部３２後面における表示開口３２ａの左側方に、差込突部６２を受け入れる差込部４６が設けられている(図９参照)。係止受部４０は、図柄表示装置５０の右側縁に保持された上下の係止クリップ５５,５５に対応して、設置板部３２の右側部に上下に離間して２箇所設けられている。係止受部４０は、設置板部３２を後方に突出すると共に前側に開放するように凹状に形成した部分であって、後面に係止孔４２が前後に貫通するよう形成されている(図７参照)。係止受部４０は、保持部６０前面と保護カバー体５４前面との段差分に対応して取り付け領域３０ａより後方へ突出し、図柄表示装置５０を取り付けた際に、係止受部４０の表示開口３２ａ側の側面が保護カバー体５４における保持部６０前側の側面に当接すると共に、保持部６０の当接壁片６０ｃが係止受部４０後面に当接するようになっている(図７参照)。
【００３３】
前記係止孔４２は、係止クリップ５５の係止突片５７の外形に合わせた長孔形状で形成され、この係止孔４２に対して係止突片５７の形状を合わせることで、係止孔４２に対して係止クリップ５５が挿脱可能になっている。ここで、係止孔４２は、図柄表示装置５０で係止クリップ５５を保持する保持孔６０ａの長手辺と交差する方向に長手辺が延在するように形成され、実施例の係止孔４２は、長手辺が上下方向に延在する長孔形状に形成されている(図１２参照)。なお、係止クリップ５５は、係止孔４２に挿入したもとで係止突片５７を回転して該係止孔４２からずらせば、該係止孔４２の周辺部に係止突片５７の長手辺後面が引っ掛かって係止受部４０に保持される(図１３の一点鎖線参照)。
【００３４】
前記係止受部４０における係止孔４２の周辺部には、該係止孔４２の開口縁に向かうにつれて前方に傾斜する挿入案内面４４が設けられている(図１２または図１３参照)。すなわち、係止孔４２は、挿入案内面４４によって前面側と比べて後面側の開口面積が大きくなっている。挿入案内面４４は、図柄表示装置５０を取り付ける際に、係止孔４２に対して係止クリップ５５が接近する側に少なくとも設けられ、実施例では、表示開口３２ａ側の斜め後方から接近する係止クリップ５５に対応して、係止孔４２の表示開口３２ａ側の側辺部に挿入案内面４４が設けられている(図１３参照)。ここで、実施例の係止受部４０には、係止孔４２における表示開口３２ａ側の左側辺部に加えて、該側辺部から上辺部の略半分および下辺部の略半分の範囲に亘って、挿入案内面４４が設けられている(図１２参照)。また、挿入案内面４４は、係止孔４２の上辺部の略中央および下辺部の略中央から左側方(表示開口３２ａ)へ向かうにつれて広がるように形成されている。すなわち、挿入案内面４４は、係止クリップ５５が接近する側が係止孔４２から離間するにつれて広くなっており、該係止クリップ５５が接近する側である左側方から係止孔４２(右側方)に向かうと係止孔４２に収束するように傾斜している。実施例の挿入案内面４４は、係止孔４２の開口縁後側角部を面取りした形状であって(図１０または図１３参照)、係止孔４２における前後方向に延在する開口面に対して１８０°以上の角をなすように斜めに交差している。なお、係止孔４２は、右側の開口縁および上下の開口縁における右側の開口面が、係止受部４０の後面板部の厚み方向に亘って前後方向に沿って形成されている。
【００３５】
前記係止受部４０は、係止孔４２が開設された後面板部分の上下左右の辺より前方に延出する壁部４１Ａ,４１Ｂ,４１Ｃ,４１Ｄを有している。係止受部４０において表示開口３２ａ側に延在する内壁部(壁部)４１Ａは、係止孔４２を挟んで対向して延在する外壁部４１Ｂと比べて係止孔４２に隣接して設けられている(図１３参照)。ここで、内壁部４１Ａは、係止突片５７の回転軌跡に交差するように延在するラインで基本的に形成される一方、外壁部４１Ｂ、係止孔４２の上側に延在する上壁部４１Ｃおよび係止孔４２の下側に延在する下壁部は４１Ｄ、係止突片５７の回転軌跡に交差しないように離して形成されている。内壁部４１Ａには、係止孔４２側の面におけるロック状態にある係止突片５７が臨む部位に凹部４０ａが形成され、該凹部４０ａにより係止突片５７の回転軌跡から内壁部４１Ａをある程度逃がし、係止孔４２に挿入した係止突片５７の回転を許容するようになっている。ここで、凹部４０ａは、ロック状態(長手辺が左右に延在する姿勢)の係止突片５７を収容可能である一方、該凹部４０ａの上下の開放端部が係止突片５７の回転軌跡に僅かに干渉するように設定されている。すなわち、凹部４０ａに収容された係止突片５７は、該凹部４０ａの上下の開放端部で回転規制されるものの、操作片５８を回転操作することで、係止突片５７または凹部４０ａの開放端部が弾性変形したもとで凹部４０ａから係止突片５７を外すことができる。
【００３６】
前記差込部４６は、表示開口３２ａを挟んで係止受部４０と反対側に形成され、図柄表示装置５０の左側縁に設けた上下の差込突部６２,６２に対応して、設置板部３２の左側部に上下に離間して２箇所設けられている(図９または図１１参照)。各差込部４６は、表示開口３２ａ側に開口する差込口４６ａを備えた門型に形成されている。ここで、差込口４６ａは、上下の開口寸法が差込突部６２の上下寸法に合わせて形成されると共に、取り付け領域３０ａに保護カバー体５４の前面に突き合わせた差込突部６２の後面が差込口４６ａの後側の開口縁に当接するようになっている。なお、差込部４６には、差込口４６ａに連通して取り付け領域３０ａより前側に開放した空間が設けられ、当該空間によって差込口４６ａに対する差込突部６２の斜め後方からの挿入を許容すると共に、差込口４６ａに挿入した差込突部６２の前後方向の変位を許容するようになっている。
【００３７】
前記設置板部３２の後面には、表示開口３２ａの下側に左右に延在するよう設けられ、図柄表示装置５０の下面を位置規制する下規制片４７と、表示開口３２ａの上側に左右に延在するよう設けられ、図柄表示装置５０の上面を位置規制する上規制片４８とを備えている(図３または９参照)。また、上下の係止受部４０,４０の間には、上下に延在する右規制片４９が設けられ、該右規制片４９によって図柄表示装置５０の右側面を位置規制するようになっている。なお、右規制片４９は、係止受部４０より後方に突出しないよう形成されている。
【００３８】
前記図柄表示装置５０の取り付け手順を説明する。先ず、図柄表示装置５０は、左側縁に設けられた上下の差込突部を対応の差込部４６の差込口４６ａに左斜め後方から挿入し、左側縁を支点して右側縁を前方へ回転することで、設置部材３０の後面に沿わせる。この際、図柄表示装置５０は、下規制片４７および上規制片４８の間に挟んで上下の位置が合わせられる。次に、図柄表示装置５０は、右側縁に前方に突出するように設けられた係止クリップ５５,５５を、縦長の係止孔４２に合わせて係止突片５７を長手辺を立てた姿勢とし、各係止孔４２に整合させた係止クリップ５５を該係止孔４２に挿入する(図７参照)。係止孔４２に挿入した係止クリップ５５を９０°回転することで、係止突片５７が係止孔４２の周辺部前面に引っ掛かる(図１３の一点鎖線参照)。そして、係止クリップ５５は、係止受部４０(係止孔４２の周辺部)および図柄表示装置５０の保持部６０を、係止突片５７と鍔部５９との間に挟んで保持する。これにより、図柄表示装置５０は、表示部５２ａを表示開口３２ａに臨ませた状態で、左側縁が差込突部６２,６２と差込部４６,４６との係合により保持されると共に、右側縁が係止受部４０,４０に係合した係止クリップ５５,５５によって保持される。
【００３９】
実施例の取り付け構造によれば、図柄表示装置５０は、右側縁に前方に突出するように設けられた係止クリップ５５が左(差込口４６ａ側)斜め後方から係止孔４２に近づくので、係止クリップ５５が係止孔４２の左側辺部近傍に当たる可能性が高い。ここで、係止受部４０には、係止孔４２において図柄表示装置５０の取り付けに際して回動支点となる差込口４６ａ側に位置する左側辺部に挿入案内面４４が設けられているので、この挿入案内面４４の傾斜に沿って係止クリップ５５の挿入端を係止孔４２に向けて案内することができる。すなわち、係止クリップ５５の係止孔４２への挿入時に、係止クリップ５５と係止孔４２の周辺部との間で生じる干渉を抑制でき、係止クリップ５５を係止孔４２へスムーズに挿入し得る。
【００４０】
また、係止孔４２の左側辺部に設けた挿入案内面４４は、図柄表示装置５０の取り付けにさいして左後方から斜めに変位される係止クリップ５５の軌跡に合わせて、後側に臨む面の傾斜が形成されているので、係止クリップ５５をよりスムーズに案内し得る。更に、係止孔４２における上下の辺部における左側(差込側)にも、挿入案内面４４が設けられているので、図柄表示装置５０が上下にずれたとしても係止クリップ５５と係止孔４２における上下の辺部との干渉を抑制でき、係止クリップ５５をスムーズに係止孔４２に案内し得る。更にまた、挿入案内面４４は、係止クリップ５５を案内する際に始端となる側が広く、係止孔４２に向かうにつれて狭くなるように形成されているので、係止クリップ５５を係止孔４２へよりスムーズに案内し得る。しかも、係止孔４２側だけでなく、係止クリップ５５の挿入端にも挿入案内面４４に倣うテーパ面５７ａが設けられているので、係止クリップ５５を係止孔４２へよりスムーズに挿入し得る。このように、実施例の図柄表示装置５０の取付構造によれば、係止クリップ５５と係止孔４２の周辺部との干渉が抑制されるので、図柄表示装置５０の取り付け作業を容易にできると共に、図柄表示装置５０の着脱の繰り返しに起因する係止クリップ５５および係止孔４２の周辺部の破損を回避できる。
【００４１】
前記挿入案内面４４は、図柄表示装置５０の取り付けに際して係止クリップ５５が接近する側である係止孔４２の左側辺部および上下の辺部の左側といった該係止クリップ５５が干渉し易い部位にだけに設けられ、係止孔４２の右側辺部および上下の辺部の右側に挿入案内面４４を設けていない。すなわち、挿入案内面４４を設けることによる係止孔４２の周辺部の強度低下を最小限に抑えることができる。しかも、実施例の挿入案内面４４は、開口縁を前後に亘って斜めに面取りするものではなく、係止孔４２の開口縁後側角部を面取りするように形成されるので、挿入案内面４４を設けても係止孔４２の周辺部の強度低下を最小限に抑えることができる。
【００４２】
前記係止受部４０には、係止孔４２に隣接して延在する内壁部４１Ａが設けられているが、内壁部４１Ａに設けられた凹部４０ａによって係止クリップ５５の係止突片５７の回転が許容される。しかも、係止孔４２に挿入した係止クリップ５５の係止突片５７が、係止孔４２の周辺部に係止する状態で係止突片５７が凹部４０ａに嵌り込むので、凹部４０ａによって係止クリップ５５を回転規制することができ、運搬時の振動等による係止クリップ５５の誤動作を防止し得る。
【００４３】
(変更例)
なお、遊技機の構成としては、実施例のものに限らず、種々の変更が可能である。
(１)実施例の縁取り部材は、枠状に一体形成された部材を用いたが、複数の板状部材を組み合わせて枠状に形成してもよい。
(２)縁取り部材は、ネジ止め固定に限らず、接着剤によって設置板部(設置部)に接着しても、リベット等の締結具を用いてもよい。
(３)図柄表示装置を支持する係止受部と差込部は、表示開口を挟んで左右に設けられる構成に限定されず、上下の関係で設けてもよい。また、図柄表示装置の対向する２つの側縁に加えて、別の側縁を支持してもよい。また、差込突部と差込部との係合構造に変えて、係止孔と係止部(係止クリップ)との係合構造としてもよい。
(４)図柄表示装置を一側縁を支点として回動して取り付ける構成を説明したが、例えば設置部材の後面に設けたレールに保持し、該後面に沿ってスライド移動して取り付ける構成や、後方から設置部材の後面に図柄表示装置を突き当てる構成であってもよい。
(５)係止部(係止クリップ)は、実施例の構成に限定されず、係止孔に対して挿脱可能に係止可能な構成であれば、係止孔に挿入したもとで操作片を押し込むことで係止突片が外方へ拡開する所謂ナイラッチやその他の構造を採用できる。
(６)挿入案内面は、係止孔の全周に設けてもよい。
(７)実施例では、遊技盤の裏側に設置部材を設けるよう構成したが、該設置部材を本体枠としての中枠に設置する構成も採用できる。
(８)実施例では、遊技盤を木材板形成したが、これに限られるものではなく、遊技盤を合成樹脂材から透明または不透明に形成するようにしてもよい。
(９)実施例では、遊技機としてパチンコ機を例示して説明したが、これに限られるものではなく、アレンジボール機やピンボール機、スロットマシン機等の各種遊技機を採用し得る。
【符号の説明】
【００４４】
２０ 遊技盤
２０ａ 遊技領域
３０ 設置部材
３２ 設置板部(設置部)
３２ａ 表示開口
３２ｂ 取付ボス
３４ 縁取り部材
３４ａ 重合部位
３４ｂ 延出部位
３４ｃ 段部
３４ｄ 取付孔
３５Ａ 右部発光装飾体(発光装飾体)
３５Ｂ 左部発光装飾体(発光装飾体)
３５Ｃ 上部発光装飾体(発光装飾体)
３５Ｄ 下部発光装飾体(発光装飾体)
３６ａ 装飾発光体(発光体)
３７ 装飾体カバー(カバー)
５０ 図柄表示装置
５２ａ 表示部
【図１】
0005538172.tif 000002
【図２】
0005538172.tif 000003
【図３】
0005538172.tif 000004
【図４】
0005538172.tif 000005
【図５】
0005538172.tif 000006
【図６】
0005538172.tif 000007
【図７】
0005538172.tif 000008
【図８】
0005538172.tif 000009
【図９】
0005538172.tif 000010
【図１０】
0005538172.tif 000011
【図１１】
0005538172.tif 000012
【図１２】
0005538172.tif 000013
【図１３】
0005538172.tif 000014